(57)【要約】【課題】    他の用具に頼ることなく、シート自らでシートを綴じることができる綴じ部を有し、簡単にシートをまとめ綴じることができるとともに、一般のシートやレポート用紙等にも使用可能で使い勝手がよく多くのシートを綴じることが可能な綴じ部を有するシートを提供する。【解決手段】  本願発明の綴じ部を有するシートは前記綴じ部がシートの所定位置に設けられた突出片形成手段と該突出片を差し込むための保持部形成手段からなっており、前記シートの前記突出片の先端部にかえし部が設けられており、突出片の形成方向に対して前記保持部の形成方向が傾斜しており該傾斜角度は９０度よりも小さい鋭角であることを特徴としている。そのため本願発明のシートを切り抜き、折り曲げ、差し込み結ぶことでとめ具やその他の用具を頼ることなくどこでも誰でも簡単にシートをまとめ綴じることができることを特徴とする。【選択図】  図１
2014172345.tif 000002
【特許請求の範囲】
【請求項１】
綴じ部を設けたシートであって、前記綴じ部がシートの所定位置に設けられた突出片形成手段と、該突出片を差し込むための保持部形成手段からなることを特徴とする綴じ部を有するシート。
【請求項２】
前記突出片形成手段の形成方向に対して前記保持部形成手段の形成方向が傾斜しており該傾斜角度は９０度よりも小さい鋭角であることを特徴とする請求項１に記載の綴じ部を有するシート。
【請求項３】
前記突出片形成手段の先端部の両側にかえし部が設けられており、前記一方のかえし部の下線と前記突出片形成手段の形成方向とが作る角度と他方のかえし部の下線と突出片形成手段の形成方向が作る角度の少なくとも一方が鋭角であることを特徴とする請求項１または２に記載の綴じ部を有するシート。
【請求項４】
前記一方のかえし部の下線と他方のかえし部の下線とが略直線状に設けられ、該直線と保持部形成手段の形成方向が略平行であることを特徴とする請求項１〜請求項３のいずれかに記載の綴じ部を有するシート。
【請求項５】
前記シートの綴じ部を用いて綴じる際の手順として下記の手順とすることを特徴とするシートの綴じ方法、
（ａ）前記シートの前記突出片形成手段から突出片を形成する手順と、
（ｂ）前記保持部形成手段から保持部を形成する手順と、
（ｃ）前記シートの前記突出片をシートの表面側に折り曲げる手順と、
（ｄ）前記突出片を重ねて、シートの縦方向の端縁に略平行に略垂下させるように折り返す手順と、
（ｅ）前記突出片の先端部を保持部に貫通させて差し込み、保持部にかえし部をひっかけてシートを綴じる手順。
【発明の詳細な説明】
【技術分野】
【０００１】
本発明は、シートを綴じ込むとき、シート自らまとめ綴じることができる綴じ部を設けたシートに関するものである。
【背景技術】
【０００２】
従来のシートを綴じることに関しては、ほとんどが糊、紐、クリップ、綴じ具等、シート以外の用具を使用して綴じられていた。
【０００３】
従って、綴じるための用具がない場合にはシートを綴じることが難しく不便であった。
【０００４】
用具を使用しないでシート自らでシートを綴じることができる綴じ部を設けたシートの既出願（特許文献１）がある。
上記特許文献１は、シートの角先端部に矢印型切断紙構造と、その下に矢印型切断紙を折り曲げ差し込み穿設を設け、差し込み固定するものである。しかしこれは、切断紙構造が矢印型であるため差し込むのが難しく、枚数が増すにつれて、その厚み等で一層差し込みが困難になる。また、用紙の角先端部に、矢印型切断紙を持つため、綴じ部としての矢印部分がシート端部から突出しているので使い勝手がよくないなどの欠点があった。
さらに特許文献２のように綴じ機で紙綴じする方法があるがそれについては左右対称の矢印で紙綴じしているが、破れ抑制用の逃げ部を用紙に形成するための補助刃部を備えており紙綴じするために矢印部を１８０度折り返す方法をとっている。だが最大１０枚と限界もある。
【先行技術文献】
【特許文献】
【０００５】
【特許文献１】特開２００３−２５１９５９号公報
【特許文献２】特開２０１２−１３５９４７号公報
【発明の概要】
【発明が解決しようとする課題】
【０００６】
本願発明は上記特許文献１に記載の発明のような、用紙の角先端部に矢印型切断紙を持つため、使い勝手がよくないという欠点を改良したものであり、さらに特許文献２に記載の発明は綴じ機を使用しその矢印部のひっかかりが少ないこともあり紙綴じ枚数も８〜１０枚と限界があるなどの欠点を改良したものであり、本願発明は他の用具に頼ることなく、シート自らでシートを綴じることができる綴じ部を有し、簡単にシートをまとめ綴じることができるとともに、一般のシートやレポート用紙等にも使用可能で使い勝手がよく多くのシートを綴じることが可能な綴じ部を有するシートを提供することを目的としている。
【課題を解決するための手段】
【０００７】
上記課題を解決するためになされた本願発明は綴じ部を設けたシートであって、前記綴じ部がシートの所定位置に設けられた突出片形成手段と、該突出片を差し込むための保持部形成手段からなることを特徴とする。
【０００８】
また本願発明は綴じ部を設けたシートであって、前記突出片形成手段の形成方向に対して前記保持部形成手段の形成方向が傾斜しており該傾斜角度は、９０度よりも小さい鋭角であることを特徴とする。
【０００９】
本願発明は綴じ部を設けたシートであって、前記突出片形成手段の先端部の両側にかえし部が設けられており、前記一方のかえし部の下線と前記突出片形成手段の形成方向とが作る角度と他方のかえし部の下線と突出片形成手段の形成方向が作る角度の少なくとも一方が鋭角であることを特徴とする。
【００１０】
本願発明は綴じ部を設けたシートであって、前記一方のかえし部の下線と他方のかえし部の下線とが略直線状に設けられ、該直線と保持部形成手段の形成方向が略平行であることを特徴とする。
【００１１】
本願発明は綴じ部を設けたシートの綴じ方法であって、前記シートの綴じ部を用いて綴じる際の手順として下記の手順とすることを特徴とする、
（ａ）前記シートの前記突出片形成手段から突出片を形成する手順と、
（ｂ）前記保持部形成手段から保持部を形成する手順と、
（ｃ）前記シートの前記突出片をシートの表面側に折り曲げる手順と、
（ｄ）前記突出片を重ねて、シートの縦方向の端縁に略平行に略垂下させるように折り返す手順と、
（ｅ）前記突出片の先端部を保持部に貫通させて差し込み、保持部にかえし部をひっかけてシートを綴じる手順。
【発明の効果】
【００１２】
本願発明によれば綴じ部を設けたシートで構成が突出片形成手段と該突出片を差しこむ保持部形成手段からなるため他の用具を使わずシート自らでまとめ綴じることができる。また、突出片形成手段の形成方向に対して保持部形成手段の形成方向が傾斜しており、該傾斜角度が鋭角であるのでしっかり綴じることができる。また前記突出片の先端部にかえし部が設けられており前記一方のかえし部の下線と前記突出片形成手段の形成方向とが作る角度と他方のかえし部の下線と突出片形成手段の形成方向が作る角度の少なくとも一方が鋭角であるので一層しっかりと綴じることができる。また前記一方のかえし部の下線と他方のかえし部の下線とが略直線状に設けられ、該直線と保持部形成手段の形成方向が略平行であるので突出片を保持部に差し込み易くなり、従って、楽に綴じることができる。また前記（ａ）〜（ｅ）の手順で綴じることで入れやすくしっかりとめられて一般のシートやレポート用紙等を使い勝手よく簡単に綴じることができる。
【図面の簡単な説明】
【００１３】
【図１】図１は本願発明の綴じ部を有するシートを示す平面図である。
【図２】図２は本願発明の綴じ部を有するシートの、傾斜角度の状態を示す平面図である。
【図３】図３は本願発明の綴じ部を有するシートの、閉じた状態を示す平面図である。
【図４】図４は本願発明の綴じ部を有するシートの閉じた状態を示す斜視図である。
【図５】図５の（a）（b）（c）は本発明の綴じ部を有するシートの綴じ方法の手順を示す説明図である。
【図６】図６は本願発明の綴じ部を有するシートのかえし部の拡大図である。
【発明を実施するための形態】
【００１４】
以下、本願発明の綴じ部を有するシート及び綴じ方法について、図面に従って詳細に説明する。
【実施例１】
【００１５】
図１は本願発明の綴じ部を有するシートの平面図である。又図３と図４は本発明のシートの綴じた状態を示す平面図と斜視図である。本願発明の綴じ部を有するシートは、シート１にミシン目打ちされた突出片形成手段２と、同じくミシン目打ちされた保持部形成手段３より成り立つ。
【００１６】
初めミシン目打ちされた突出片形成手段２とミシン目打ちされた保持部形成手段３を、シート１の上部位置におよそ１８０度方向に設けて、突出片４を立ち上げ、およそ１８０度折り返して保持部５に差し込んだが、横にずれやすく破れ易いことがわかった。
【００１７】
そこで突出片４の折り返す角度を変えることで、ずれを少なくできるのではないかと考えた。保持部５の形成方向Ｌ２と突出片４の形成方向Ｌ１とが平行の位置ではなく請求項２の前記突出片の先端部にかえし部が設けられており突出片の形成方向に対して前記保持部の形成方向が傾斜しており該傾斜角度は９０度よりも小さい鋭角であるようにして該突出片４を差し込んだ。これによって力の加わる方向が変わり、横にずれにくく破れにくいことがわかった。
【００１８】
角度を変えて折り返すことにより、横にずれにくくなることがわかったので、さらにずれにくくするため、突出片４の先端を右下がりおよそ４５度の変形矢印とし、保持部５を突出片４の折り返し線と平行の右下がりおよそ４５度とし、また保持部５の端は、折り返し垂下した突出片４の矢印の部分が引っ掛かり止まるように設けた。
【００１９】
また変形矢印かえし部の一方の下線と他方のかえし部の下線とが略直線上に設けられ該直線と保持部の形成手段を略平行に設けた。さらに突出片４の先端に右下がりおよそ４５度の変形矢印状のかえし部を設け、突出片４を保持部５に向けて折り返すことにより、形状的に突出片４を保持部５に楽に差し込むことが可能になった。さらに４５度の変形矢印をかえし部としたが、そのかえし部を逆にして保持部の形成方向に差し込むことも可能であったが、前記突出片の先端の両側に設けられたかえし部の長さ、幅、角度が関係することがわかり図１、図２、図６に示す突出片形成手段のかえし部の長さ、幅、角度が好適であった。しかしながら、上記の４５度に限られるものではない。変形矢印における一方のかえし部９ａの幅Ｌ５が約０．４ｃｍ〜０．６ｃｍ、一方のかえし部の長さＬ６は約０．４ｃｍ〜０．６ｃｍとし、他方のかえし部９ａの幅Ｌ７が約０．４ｃｍ〜０．６ｃｍ、他方のかえし部の長さＬ８は、約０．４ｃｍ〜０．６ｃｍとすると好適であった。しかしながら、この寸法に限られるものではない。
【００２０】
これで本願発明が完成した。本願発明の綴じ具を有するシートは、綴じ部を設けたシートであって、前記綴じ部がシートの所定位置に設けられた突出片形成手段２と、該突出片４を差し込むための保持部形成手段３からなり、前記突出片４の形成方向に対して、前記保持部５の形成方向が傾斜しており、折返し角度αはおよそ９０度であることが好適である。しかし９０度に限られるものではない。前記突出片形成手段２及び保持部形成手段３は、例えば前記したミシン目打ちの他、片押し等によって切り目をつけることが好適である。又、これらに限定されるものではない。
【００２１】
次に本願発明の綴じ部を有するシートの使い方を順序だてて説明する。
図５の（ａ）に示すように本願発明の綴じ部を有するシートは、初めの状態において突出片形成手段２と保持部形成手段３を有する平坦なシートである。（ｂ）は綴じ部を設けたシートの綴じ部を用いて綴じる際、突出片４をシート１の表面側に重ねて折り曲げ、保持部５に差し込む直前の手順の説明図である。（ｃ）は綴じ部を設けたシートの綴じ部を用いて綴じる際、突出片４をシート１の縦方向の端縁に略平行に垂下させるように保持部５に差し込んだ手順の説明図である。
まず本願発明のシート１の突出片形成手段２と保持部形成手段３を切り抜いて、突出片４と保持部５を設ける。綴じようとするシートすべての突出片４をきちんと重ねた後、該突出片４を下方およそ９０度に方向を変えて折り返し、保持部５に差し込む。
【００２２】
本願発明の綴じ部を有するシートは、実施では１０枚綴じ込むことは可能であったが、突出片４の厚さが厚くなるので、およそ５枚をめやすにすることが望ましい。
【００２３】
また本願発明の綴じ部を有するシートは実施例に記載しただけでなく、突出片形成手段２、保持部形成手段３を、ミシン目打ちのみでなく、他の方法で何箇所かを留めることも可能である。また容易に指で押せば切り抜ける、切り込み線を設けることも可能である。さらに突出片形成手段２と保持部形成手段３は、実施例にあげたシートの左上の場所だけに限るものではなく、又、突出片形成手段２と保持部形成手段３の数も同様である。実施例ではコピー用紙を使用したが、シートにおいては印刷用紙、新聞紙、レポート用紙、ノート紙、便箋等、その他のシートや紙以外のシートを用いることも可能であり、これらに限定するものではない。
【産業上の利用可能性】
【００２４】
本願発明の綴じ部を有するシートは、綴じ用治具を用いることなく、コピー用紙、便箋、印刷用紙、新聞紙、スクラップ紙、各種報告書、レポート用紙、メモ用紙等と極めて簡単に綴じることが可能となり、産業上の利用価値は大きい。
【符号の説明】
【００２５】
１    シート
２    突出片形成手段
３    保持部形成手段
４    突出片
４ａ  突出片の幅
４ｂ  突出片の幅先端部
５    保持部
５ａ  保持部の幅
６    突出片の形成方向と保持部の形成方向が作る傾斜角度
７    シートの孔
８    かえし部の下線と突出片形成手段の形成方向とが作る傾斜角度
９ａ  かえし部
９ｂ  かえし部
Ｌ１  突出片形成手段の形成方向
Ｌ２  保持部形成手段の形成方向
Ｌ３  一方のかえし部の下線
Ｌ４  他方のかえし部の下線
Ｌ５  一方のかえし部の幅
Ｌ６  一方のかえし部の長さ
Ｌ７  他方のかえし部の幅
Ｌ８  他方のかえし部の長さ
α    突出片の折り返し角度
【図１】
2014172345.tif 000003
【図２】
2014172345.tif 000004
【図３】
2014172345.tif 000005
【図４】
2014172345.tif 000006
【図５】
2014172345.tif 000007
【図６】
2014172345.tif 000008
【手続補正書】
【提出日】平成25年7月31日(2013.7.31)
【手続補正１】
【補正対象書類名】特許請求の範囲
【補正対象項目名】全文
【補正方法】変更
【補正の内容】
【特許請求の範囲】
【請求項１】
綴じ部を設けたシートであって、前記綴じ部がシートの所定位置に設けられた突出片形成手段と、該突出片を差し込むための保持部形成手段からなり、前記突出片形成手段の形成方向に対して前記保持部形成手段の形成方向が傾斜しており該傾斜角度は９０度よりも小さい鋭角であり、前記突出片形成手段の先端部の両側にかえし部が設けられており、前記一方のかえし部の下線と前記突出片形成手段の形成方向とが作る角度と他方のかえし部の下線と突出片形成手段の形成方向が作る角度の少なくとも一方が鋭角であることを特徴とする綴じ部を有するシート。
【請求項２】
前記一方のかえし部の下線と他方のかえし部の下線とが略直線状に設けられ、該直線と
保持部形成手段の形成方向が略平行であることを特徴とする請求項１に記載の綴じ部を有するシート。
【請求項３】
前記請求項１又は２に記載のシートの綴じ部を用いて綴じる際の手順として下記の手順とすることを特徴とするシートの綴じ方法、
（ａ）前記シートの前記突出片形成手段から突出片を形成する手順と、
（ｂ）前記保持部形成手段から保持部を形成する手順と、
（ｃ）前記シートの前記突出片をシートの表面側に折り曲げる手順と、
（ｄ）前記突出片を重ねて、シートの縦方向の端縁に略平行に略垂下させるように折り返
す手順と、
（ｅ）前記突出片の先端部を保持部に貫通させて差し込み、保持部にかえし部をひっかけ
てシートを綴じる手順。
【手続補正２】
【補正対象書類名】明細書
【補正対象項目名】０００７
【補正方法】変更
【補正の内容】
【０００７】
上記課題を解決するためになされた本願発明の請求項１は綴じ部を設けたシートであって、前記綴じ部がシートの所定位置に設けられた突出片形成手段と、該突出片を差し込むための保持部形成手段からなり、前記突出片形成手段の形成方向に対して前記保持部形成手段の形成方向が傾斜しており該傾斜角度は、９０度よりも小さい鋭角であり、前記突出片形成手段の先端部の両側にかえし部が設けられており、前記一方のかえし部の下線と前記突出片形成手段の形成方向とが作る角度と他方のかえし部の下線と突出片形成手段の形成方向が作る角度の少なくとも一方が鋭角であることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
本願発明の請求項２は請求項１に記載の綴じ部を設けたシートであって、前記一方のかえし部の下線と他方のかえし部の下線とが略直線状に設けられ、該直線と保持部形成手段の形成方向が略平行であることを特徴とする。
【手続補正６】
【補正対象書類名】明細書
【補正対象項目名】００１１
【補正方法】変更
【補正の内容】
【００１１】
本願発明の請求項３は請求項１又は２に記載の綴じ部を設けたシートの綴じ方法であって、前記請求項１又は２に記載のシートの綴じ部を用いて綴じる際の手順として下記の手順とすることを特徴とする、
（ａ）前記シートの前記突出片形成手段から突出片を形成する手順と、
（ｂ）前記保持部形成手段から保持部を形成する手順と、
（ｃ）前記シートの前記突出片をシートの表面側に折り曲げる手順と、
（ｄ）前記突出片を重ねて、シートの縦方向の端縁に略平行に略垂下させるように折り返す手順と、
（ｅ）前記突出片の先端部を保持部に貫通させて差し込み、保持部にかえし部をひっかけてシートを綴じる手順。